【事件の表示】
　特願２００５−２６４４１５「熱転写記録媒体及び熱転写記録方法」拒絶査定不服審判事件〔平成１８年　４月２０日出願公開、特開２００６−１０３３１９〕について、次のとおり審決する。
【結　論】
　本件審判の請求は、成り立たない。
【理　由】
１　手続の経緯
　本願は、平成１７年９月１２日（優先権主張平成１６年９月１３日）の出願であって、平成２１年１２月２５日付けで手続補正がなされ、平成２２年３月２４日付けで拒絶査定がなされ、これに対して、同年６月２８日付けで拒絶査定不服審判の請求がなされ、その請求と同時に手続補正がなされ、当審において、平成２３年８月１８日付けで平成２２年６月２８日付けの手続補正が補正却下されるとともに、同日付けで拒絶の理由（以下「当審拒絶理由」という。）の通知がなされ、同年１０月２４日付けで手続補正がなされたものである。
　
２　本願発明
　本願の請求項１ないし８に係る発明は、平成２３年１０月２４日付けの手続補正により補正された明細書及び特許請求の範囲の記載からみて、特許請求の範囲の請求項１ないし８にそれぞれ記載された事項によって特定されるものと認められるところ、請求項１に係る発明（以下「本願発明」という。）は、次のとおりのものである。
　
「支持体上に、離型層及びインク層が順次積層されている熱転写記録媒体であって、
　前記離型層は、ワックスを含み、
　前記インク層は、着色剤及び飽和ポリエステル樹脂を含み、
　前記飽和ポリエステル樹脂は、トリメリット酸由来の構成単位を有し、数平均分子量が３００以上１０００未満であることを特徴とする熱転写記録媒体。」
　
３　引用刊行物及び引用発明
　当審拒絶理由に引用された、本願の優先日前に頒布された刊行物である特開２００３−１３６８５１号公報（以下「引用例」という。）には、次の事項が記載されている。
　
（１）「【特許請求の範囲】
【請求項１】  
支持体上に剥離層、着色剤を含有するインク層を順次積層した熱転写記録媒体であって、剥離層がポリエチレンワックスを含有し、かつインク層が水酸基価が２０〜６０ｍｇＫＯＨ／ｇの熱可塑性飽和ポリエステル樹脂および酸価が５ｍｇＫＯＨ／ｇ以下の酸化ポリエチレンを含有することを特徴とする熱転写記録媒体
（審決注：下線は審決で付した。以下同じ。）。
　
（２）「【０００１】
【発明の属する技術分野】本発明は熱溶融転写記録媒体に関し、詳しくは
画像精細性に優れ、さらに得られる転写画像が耐溶剤性に優れる熱転写記録媒体
【０００２】
【従来の技術】熱溶融転写記録媒体は、画像精細性が良好で、さらに、その使用環境によっては、
熱転写された画像
【０００３】良好な転写性能を得るために、熱溶融性バインダーに特定のポリエステル樹脂を用いる方法が例示されている。特開昭６３−５１１８２号公報には水酸基価が１８〜２６０のポリエステル樹脂を用いることが示されているが、転写性能は優れていても、耐溶剤性等の画像耐久性は満足できるものではない。また、特開２００１-１７１２３３号公報には溶剤溶解度を規定したポリエステルを用いることが示されている。特開平１０-１２９１２２号公報には溶解度とパラメーターを規定した樹脂と酸変性ポリエチレンをインクに含有させることが示されている。しかしいずれも画像精細性と画像の耐溶剤性がともに優れたものではない。特に、エッジ型サーマルヘッドを搭載したプリンタでは、サーマルヘッド発熱体から
熱転写記録媒体と受容体
インクが受容体に充分定着
エッジ型サーマルヘッドを搭載したプリンタで使用可能な
【０００４】
【発明が解決しようとする課題】したがって、上記従来技術に鑑みて、本発明の目的は、画像精細性および耐溶剤性に優れた熱転写記録媒体を提供することにある。…（略）…
【０００７】本発明で用いられる熱可塑性飽和ポリエステル樹脂は水酸基価が２０〜６０ｍｇＫＯＨ／ｇのものである。水酸基価が２０ｍｇＫＯＨ／ｇ未満では、混合する酸化ポリエチレンがどのような酸価のものであっても、充分な熱感度や画像精細性が得られず、６０ｍｇＫＯＨ／ｇを超えると耐溶剤性が低下する。
本発明の熱可塑性飽和ポリエステル樹脂としては
トリメリット酸
【０００８】
本発明の熱可塑性飽和ポリエステル樹脂としてはガラス転移点温度が１０〜５５℃、数平均分子量が５００〜６０００のものが好ましい。ガラス転移点温度が１０℃未満や分子量が５００未満では転写画像の耐溶剤性に劣り、ブロッキングが発生する恐れもある。またガラス転移点温度が５５℃を超えたり、分子量が６０００を超えると転写画像の熱感度や画像精細性が劣る
…（略）…
【００１５】本発明のインク層には、熱感度や画像精細性の向上を目的として、各種の添加物質が添加されてよい。例えば、ワックス状の脂肪酸アミド、各種滑剤、パラフィンワックスのような合成ワックス類、キャンデリラワックスやカルナウバワックス等の天然ワックス類、シリコーン油やパーフロロアルキルエーテル等のオイル類等の添加によって熱感度や画像精細性を向上させることができる。なお、この場合の滑剤にはリン酸エステル等のほか、シリコーン樹脂や四フッ化エチレン樹脂やフロロアルキルエーテル樹脂等の樹脂類、炭化ケイ素やシリカ等の無機滑剤も使用可能である。」
　
（３）「【００２０】
【実施例】次に実施例を挙げて本発明をさらに具体的に説明する。なお、ここでの部は固形分重量基準である。
〔実施例１〕支持体としては４．５μｍ厚のポリエチレンテレフタレートフィルムを用意し、熱転写記録層を塗工する側の反対側にシリコーンゴム（東レ・ダウコーニング・シリコーン社製ＳＤ７２２６）を乾燥後塗工量が０．２ｇ／ｍ２となるように塗布乾燥して耐熱滑性層を有する支持体を作成した。
＜剥離層処方＞
　ポリエチレンワックス（融点９６℃、針入度６、密度０．９４）のトルエン分散液（固形分１０％）　　　　　　　　　　　　　　　　　　　９０部
　エチレン−酢酸ビニル共重合体樹脂のトルエン溶液　　　　　　　１０部
（固形分１０％）
上記処方の剥離液を支持体の熱転写記録層側に厚みが約１．０μｍとなるように塗布乾燥して剥離層を設けた。
＜インク層処方＞
　水酸基価２５ｍｇＫＯＨ／ｇのポリエステル樹脂（テレフタル酸・エチレングリコール・イソフタル酸、ネオペンチルグリコール重縮合物）のＭＥＫ
　溶液（固形分２０％）　　　　　　　　　　　　　　　　　　　　６０部
　酸価５ｍｇＫＯＨ／ｇ、粒径７μｍ（粒径分布計：ＨＯＲＩＢＡ  ＬＡ−９２０にて測定したメジアン径）の酸化ポリエチレンのＭＥＫ分散液
（固形分２０％）　　　　　　　　　　　　　　　　　　　　　　　　７部
　カーボンブラックのＭＥＫ分散液　　　　　　　　　　　　　　　３３部
（固形分２０％）
上記組成のインク液を前記中間層上に厚みが約１．０μｍとなるように塗布乾燥し、インク層を設け、熱転写記録媒体を作成した。…（略）…
【００３２】…（略）…
上記により得られた実施例１〜７および比較例１〜６の熱転写記録媒体について、以下の方法による評価テストを行なった。なお、評価テストには
受容紙
　
（４）上記（１）ないし（３）から、引用例には、次の発明（以下「引用発明」という。）が記載されていると認められる。
　
「支持体上に剥離層、着色剤を含有するインク層を順次積層した熱転写記録媒体であって、
　前記剥離層がポリエチレンワックスを含有し、かつ、インク層が水酸基価が２０〜６０ｍｇＫＯＨ／ｇの熱可塑性飽和ポリエステル樹脂および酸価が５ｍｇＫＯＨ／ｇ以下の酸化ポリエチレンを含有し、熱可塑性飽和ポリエステル樹脂としては、ガラス転移点温度が１０〜５５℃、数平均分子量が５００〜６０００であり、
　エッジ型サーマルヘッドを搭載したプリンタで前記インク層が受容紙に熱転写画像として記録される、
　画像精細性に優れ、さらに得られる転写画像が耐溶剤性に優れる熱転写記録媒体。」
　
４　対比
　本願発明と引用発明とを対比する。
（１）引用発明の「剥離層」、「ポリエチレンワックス」及び「熱可塑性飽和ポリエステル樹脂」は、それぞれ、本願発明の「離型層」、「ワックス」及び「飽和ポリエステル樹脂」に相当する。
　
（２）引用発明において、「熱転写記録媒体」は、支持体上に「離型層（剥離層）」、着色剤を含有するインク層を順次積層した熱転写記録媒体であって、前記「離型層」が「ワックス（ポリエチレンワックス）」を含有し、かつ、前記インク層が水酸基価が２０〜６０ｍｇＫＯＨ／ｇの「飽和ポリエステル樹脂（熱可塑性飽和ポリエステル樹脂）」を含有するものであるから、引用発明の「熱転写記録媒体」と本願発明の「熱転写記録媒体」とは、「支持体上に、離型層及びインク層が順次積層されている熱転写記録媒体であって、
　前記離型層は、ワックスを含み、
　前記インク層は、着色剤及び飽和ポリエステル樹脂を含む」ものである点で一致する。
　
（３）引用発明の「飽和ポリエステル樹脂（熱可塑性飽和ポリエステル樹脂）」は、数平均分子量が５００〜６０００であること及びポリエステル樹脂が多価アルコールと多価カルボン酸との重縮合により生じる高分子化合物であって、多価アルコール由来の構造単位と多価カルボン酸由来の構成単位とを有すことは技術常識であることから、引用発明の「飽和ポリエステル樹脂」と本願発明の「『トリメリット酸由来の構成単位を有し、数平均分子量が３００以上１０００未満』である『飽和ポリエステル樹脂』」とは、「多価カルボン酸由来の構成単位を有し、数平均分子量が３００以上でありかつ上限値が規定された」点で一致する。
　
（４）上記（１）ないし（３）から、本願発明と引用発明とは、
「支持体上に、離型層及びインク層が順次積層されている熱転写記録媒体であって、
　前記離型層は、ワックスを含み、
　前記インク層は、着色剤及び飽和ポリエステル樹脂を含み、
　前記飽和ポリエステル樹脂は、多価カルボン酸由来の構成単位を有し、数平均分子量が３００以上あるかつ上限値が規定された、熱転写記録媒体。」
である点で一致し、次の点で相違する。
　
相違点：
　本願発明では、前記多価カルボン酸が、三価のカルボン酸の１種である「トリメリット酸」であり、前記飽和ポリエステル樹脂の数平均分子量の上限値が「１０００未満」であるのに対して、
　引用発明では、前記多価カルボン酸が、「トリメリット酸」であるのか否か明らかでなく、前記飽和ポリエステル樹脂の数平均分子量の上限値が「６０００」である点。
　
５　判断
（１）上記相違点について検討する。
　ア　トリメリット酸由来の構成単位を有する飽和ポリエステル樹脂は、引用例に例示されたもの（上記３（２）【０００７】参照。）であり、かつ、本願の優先日前に周知である（以下「周知技術」という。例．特開平１−１２３７９０号公報特に３頁左下欄下から５行ないし４頁左上欄１３行、特開平１−１２３７８９号公報特に３頁左下欄５行ないし４頁左上欄１行、特開昭６１−２４４５９２号公報特に４頁左上欄下から２行ないし左下欄下から２行、特開昭６１−２４４５９１号公報特に４頁左上欄下から３行ないし左下欄下から２行、特開昭６２−１３３８４号公報特に３頁左下欄下から９行ないし４頁右上欄下から５行、特開昭６２−１３３８３号公報特に３頁左下欄下から６行ないし４頁右上欄７行、特開２００３−９４８３５号公報特に【請求項３】参照。）。
　
　イ　引用例には、「本発明の
熱可塑性飽和ポリエステル樹脂としては
数平均分子量が
〜６０００のものが好ましい
分子量が６０００を超えると転写画像の熱感度や画像精細性が劣る
　
　ウ　上記ア及びイから、引用発明において、飽和ポリエステル樹脂として、トリメリット酸由来の構成単位を有し、数平均分子量の上限値が「１０００未満」のものを用い、上記相違点に係る本願発明の構成となすことは、当業者が、引用例に記載された事項及び周知技術に基づいて適宜になし得た設計上のことである。
　
（２）効果について
　本願発明の奏する効果は、当業者が、引用発明の奏する効果、周知技術の奏する効果及び引用例に記載された事項から予測できた程度のものである。
　
（３）まとめ
　したがって、本願発明は、当業者が、引用例に記載された発明、周知技術及び引用例に記載された事項に基づいて容易に発明をすることができたものである。
　
６　むすび
　以上のとおり、本願発明は、当業者が、引用例に記載された発明、周知技術及び引用例に記載された事項に基づいて容易に発明をすることができたものであるから、特許法第２９条第２項の規定により特許を受けることができない。
　よって、結論のとおり審決する。